(57)【要約】      （修正有）【課題】加工時に捻りブラシに力が加わった場合でも、捻りブラシ部の線材が変形せず捩りがほぐれることなく、ブラシ毛が脱落することがないネジリブラシを提供する。【解決手段】略棒状の軸体２の一端にブラシ部３が形成され、ブラシ部３はブラシ部ユニット３ａと間欠部３ｂが交互に形成されており、ブラシ部ユニット３ａと間欠部３ｂは複数本の線材３ｃにブラシ毛３ｄが挟み付けられて捩じられて形成されている。また、間欠部３ｂのブラシ毛３ｄの外径はブラシ部ユニット３ａの線材３ｃの捩じり外径と略同一に形成されており、ブラシ部の先端部には複数本の線材３ｃを接合した接合部３ｅが形成されている。さらに軸体側端部は軸体とカシメ部４にて固着されている。【選択図】図２
0003186694.tif 000002
【実用新案登録請求の範囲】
【請求項１】
被加工面の研削、研磨、表面処理、洗浄、バリ取り等の各種加工をする為のネジリブラシにおいて、前記ネジリブラシは、略棒状の軸体の一端にブラシ部が形成されてあり、前記ブラシ部はブラシ部ユニット及び間欠部が交互に形成されてあり、前記ブラシ部ユニット及び前記間欠部は複数本の線材にブラシ毛が挟み付けられて捩じられて形成されてあると共に、前記間欠部のブラシ毛の外径は前記ブラシ部ユニットの前記線材の捩じり外径と略同一に形成されてあり、ブラシ部の先端部は複数本の線材を接合した接合部が形成されてあると共に軸体側端部は軸体とカシメ部にて固着されてあることを特徴とするネジリブラシ。
【考案の詳細な説明】
【技術分野】
【０００１】
本考案は、被加工面の研削、研磨、表面処理、洗浄、バリ取り等の各種加工をする為のネジリブラシに関するものである。
【背景技術】
【０００２】
従来から、捻りブラシ部を、ブラシ部単位と間隔部とを交互に複数形成した捻りブラシ
が知られている。（特許文献１）。
【先行技術文献】
【特許文献】
【０００３】
【特許文献１】特開２００１−１７０８７１号公報
【考案の概要】
【考案が解決しようとする課題】
【０００４】
上記特許文献１の捻りブラシは、捻りブラシ部が、ブラシ部単位と間隔部とを交互に複数形成されてあるが、間隔部には金属線材が形成されていない為、捻りブラシ部と間隔部との境界にて金属線材の捻り外径差が発生する為、加工時の捻りブラシに加わる力により、捻りブラシ部と間隔部との境界にて金属線材が変形して捩りがほぐれ、ブラシ毛が脱落するという課題があった。
【０００５】
本考案は、上記のような課題を解決する為になされたもので、加工時の捻りブラシに力が加わった場合においても、捻りブラシ部の線材が変形せず捩りがほぐれることなく、ブラシ毛が脱落することがないネジリブラシを提供することを目的としている。
【課題を解決するための手段】
【０００６】
本考案は、上記従来の課題を解決する為に、被加工面の研削、研磨、表面処理、洗浄、バリ取り等の各種加工をする為のネジリブラシにおいて、前記ネジリブラシは、略棒状の軸体の一端にブラシ部が形成されてあり、前記ブラシ部はブラシ部ユニット及び間欠部が交互に形成されてあり、前記ブラシ部ユニット及び前記間欠部は複数本の線材にブラシ毛が挟み付けられて捩じられて形成されてあると共に、前記間欠部のブラシ毛の外径は前記ブラシ部ユニットの前記線材の捩じり外径と略同一に形成されてあり、ブラシ部の先端部は複数本の線材を接合した接合部が形成されてあると共に軸体側端部は軸体とカシメ部にて固着されてあることを特徴としている。したがって、加工時に力が加わった場合においても、線材の捩りがほぐれることなく、ブラシ毛が脱落することがない。
【考案の効果】
【０００７】
本考案では、加工時に力が加わった場合においても、線材の捩りがほぐれることなく、ブラシ毛が脱落することがない。
【図面の簡単な説明】
【０００８】
【図１】本考案のネジリブラシの斜視図。
【図２】本考案のネジリブラシの正面図。
【図３】本考案のネジリブラシの使用状態を表す説明図。
【考案を実施するための形態】
【０００９】
図１は、本考案のネジリブラシの斜視図であり、図２は、本考案のネジリブラシの正面図、図３は、本考案のネジリブラシの使用状態を表す説明図である。
【００１０】
ネジリブラシ１は、略棒状の軸体２の一端に、ブラシ部３が形成されてあり、ブラシ部３は、ブラシ部ユニット３ａ及び間欠部３ｂが交互に形成されてあり、ブラシ部ユニット３ａ及び間欠部３ｂは４本の丸型断面の線材３ｃにブラシ毛３ｄが挟み付けられて捩じられて形成されてある。また、間欠部３ｂのブラシ毛３ｄの外径は、ブラシ部ユニット３ａの線材３ｃの捩じり外径と略同一になるよう形成されてある。また、ブラシ部３の先端部は、４本の線材３ｃを半田付け、溶接や接着等にて接合した接合部３ｅが形成されてある。また、ブラシ部３の軸体２側の端部は、軸体２とカシメ部４にて、略六角柱形状にカシメ固着されてある。また、間欠部３ｂは、外周が平滑な筒状に形成されるよう、ブラシ毛３ｄ及び４本の線材３ｃが切削加工されてある。その為、除去したバリ等が間欠部３ｂに絡みつく事が無く、効率的なバリ取り加工ができる。なお、線材３ｃは、断面が略Ｄ形状の線材を使用し、略Ｄ形状の平面部にてブラシ毛を挟み付ける形態も採用できる。断面が略Ｄ形状の線材等の異形断面形状の形態を採用した場合においては、丸型断面の線材を使用した場合に比べて、線材３ｃの捩りのほぐれをより防止する事ができ、かつ、ブラシ毛３ｄの脱落をより防止できる。また、線材３ｃは４本以外にも２本以上であれば本考案に含まれる。
【００１１】
軸体２には、ステンレス、鋳鉄等の各種金属材料、アルミニウム合金等の各種非鉄金属材料、各種樹脂材料等を使用目的に応じて使用する。また、ブラシ毛３ｄには、使用目的に応じて、各種天然繊維、ナイロン等の各種化学繊維の材料が使用できるが、砥粒入りナイロンや、ピアノ線やステンレス線などの無機繊維等のバリを除去する為の高い研削力を有する材料を使用するのが好適である。
【００１２】
ネジリブラシ１は、軸体２を、回転工具や回転機器に装着し、回転させて使用する。また、ネジリブラシ１は、図３の如く、穴部１１ｂを有する加工物１１のバリ取りに好適に使用される。穴部１１ｂの内壁に発生したバリ及び穴部１１ｂの角部１１ｃに発生したバリは、ブラシ部ユニット３ａのブラシ毛３ｄにて除去されると共に、穴部１１ｂと平面部１１ａとの間の角部１１ｃに発生したバリは、ブラシ部３のブラシ部ユニット３ａと間欠部３ｂが順次、穴部１１ｂに挿入されることにより、ブラシ部ユニット３ａにて除去される。
【００１３】
また、ネジリブラシ１は、間欠部３ｂが形成されてあり、間欠部３ｂのブラシ毛３ｄの外径は、ブラシ部ユニット３ａの線材３ｃの捩じり外径と略同一になるよう形成されてある為、間欠部３ｂは、穴部１１ｂ内でブラシ毛３ｄが毛倒れして角部１１ｃのバリ取り加工をじゃますることが無い。ネジリブラシ１は、ブラシ部３のブラシ部ユニット３ａと間欠部３ｂが順次、穴部１１ｂに挿入されるので、穴部１１ｂの内部に発生したバリ、及び角部１１ｃに発生したバリを的確に除去できるので、１工程で複数箇所のバリ取り加工が可能である。
【産業上の利用可能性】
【００１４】
本考案のネジリブラシ１は、被加工面の研削、研磨、表面処理、洗浄、バリ取り等の各種加工をする為のブラシとして、広く好適に使用することができる。
【符号の説明】
【００１５】
１  ネジリブラシ
２  軸体
３  ブラシ部
３ａ  ブラシ部ユニット
３ｂ  間欠部
３ｃ  線材
３ｄ  ブラシ毛
３ｅ  接合部
４  カシメ部
１１  加工物
１１ａ  平面部
１１ｂ  穴部
１１ｃ  角部
【図１】
0003186694.tif 000003
【図２】
0003186694.tif 000004
【図３】
0003186694.tif 000005